(57)【要約】【課題】車椅子のフットレストを、その車椅子を押している介護者が車椅子の前方に回り込むことなく引き上げることが可能な車椅子のフットレスト引き上げ具の提供。【解決手段】車椅子のフットレストを引き上げるためのフットレスト引き上げ具１であって、手で把持する棒状の柄部２と、柄部２の先端から側方に延設され、先端部３ａがフットレストの下面に当接する凸状に形成されたアーム部３とを有する。このフットレスト引き上げ具１によれば、介護者が柄部を把持して車椅子の後方から柄部の先端から側方に延設されたアーム部３の凸状の先端部３ａをフットレストの下面に当接させて引っ掛け、上方へ引き上げることが可能となる。【選択図】図１
2012135467.tif 000002
【特許請求の範囲】
【請求項１】
車椅子のフットレストを引き上げるためのフットレスト引き上げ具であって、
手で把持する棒状の柄部と、
前記柄部の先端から側方に延設され、先端部が前記フットレストの下面に当接する凸状に形成されたアーム部と
を有するフットレスト引き上げ具。
【請求項２】
前記アーム部は、先端部が前記柄部の手元に向かって曲折された略Ｌ字状の板である請求項１記載のフットレスト引き上げ具。
【請求項３】
前記アーム部の先端部の凸状は、前記フットレストの下面の凹部に係合可能な大きさである請求項１または２に記載のフットレスト引き上げ具。
【発明の詳細な説明】
【技術分野】
【０００１】
本発明は、車椅子のフットレストを引き上げるためのフットレスト引き上げ具に関する。
【背景技術】
【０００２】
車椅子には、乗車時に足を載せるフットレストが左右に備えられている。このフットレストは、足を載せるための水平な閉じ位置と、直立した開き位置との間で回動可能になっており、乗降時には開き位置とすることで邪魔にならないようにしている。ところが、このフットレストを開く際は、介護者が腰を屈めて直接手で持ち上げる必要があり、煩わしさや腰への負担が問題となる。また、要介護者自身が腰を屈めて手で持ち上げることは不可能である。
【０００３】
そこで、例えば特許文献１に記載のように、車椅子に後付け可能なフットレストの開閉機構が開発されている。この開閉機構は、車椅子本体の左右の両側部に、案内板と一体にしてなる台板に主軸を植設し、これに複数の索条連結用孔を設けたＬ字形操作レバーを主軸に枢着し、索条連結用孔とフットレストの後端部に回動半径が調整可能な連結治具に設けた軸との間に発条付き索条を連結し、Ｌ字形操作レバーを回動操作して、フットレストを閉じ位置から開き位置の停止エリアまでの範囲を回動させるものである。
【０００４】
また、特許文献２には、車椅子のフットレストの前後方向に短い紐を巻いて面ファスナーで固定し、その紐と連結した別の長い紐を車椅子のアームなど介護者や要介護者の手が届きやすい箇所に巻いて面ファスナーで固定し、アームなどに固定された長い紐を引くことによってフットレストを引き上げることを可能にすることが記載されている。
【先行技術文献】
【特許文献】
【０００５】
【特許文献１】特開２０１０−１９４２９０号公報
【特許文献２】登録実用新案第３１６１５１２号公報
【発明の概要】
【発明が解決しようとする課題】
【０００６】
特許文献１に記載のフットレストの開閉機構は、既存の車椅子に後付け可能なものであるが、部品点数も多く、コストも掛かる。また、要介護者自身がＬ字形操作レバーを回動操作する必要があり、車椅子を押している介護者が操作するためには車椅子の前方まで回り込む必要がある。一方、特許文献２に記載の紐は簡単な構造であり、コストも掛からないが、要介護者自身が引っ張るようになっており、特許文献１に記載の開閉機構と同様に、車椅子を押している介護者が操作するためには車椅子の前方まで回り込む必要がある。
【０００７】
そこで、本発明においては、車椅子のフットレストを、その車椅子を押している介護者が車椅子の前方に回り込むことなく引き上げることが可能な車椅子のフットレスト引き上げ具を提供することを目的とする。
【課題を解決するための手段】
【０００８】
本発明のフットレスト引き上げ具は、車椅子のフットレストを引き上げるためのフットレスト引き上げ具であって、手で把持する棒状の柄部と、柄部の先端から側方に延設され、先端部がフットレストの下面に当接する凸状に形成されたアーム部とを有するものである。本発明のフットレスト引き上げ具によれば、介護者が柄部を把持して車椅子の後方から柄部の先端から側方に延設されたアーム部の凸状の先端部をフットレストの下面に当接させて引っ掛け、上方へ引き上げることが可能となる。
【０００９】
ここで、アーム部は、先端部が柄部の手元に向かって曲折された略Ｌ字状の板であることが望ましい。これにより、介護者が柄部を把持して車椅子の後方から柄部の先端から側方に延設され、柄部の手元に向かって曲折された略Ｌ字状の板の先端部をフットレストの下面に当接させて引っ掛け、上方へ引き上げることが可能となる。
【００１０】
また、アーム部の先端部の凸状は、フットレストの下面の凹部に係合可能な大きさであることが望ましい。これにより、介護者が柄部を把持して車椅子の後方から柄部の先端から側方に延設されたアーム部の凸状の先端部をフットレストの下面に当接させた際に、アーム部の先端部の凸状がフットレストの下面の凹部に係合して滑りにくくなるため、引っ張って上方へ引き上げる際にアーム部の凸状の先端部がフットレストの下面から滑って外れるのを防止することができる。
【発明の効果】
【００１１】
（１）手で把持する棒状の柄部と、柄部の先端から側方に延設され、先端部がフットレストの下面に当接する凸状に形成されたアーム部とを有することにより、車椅子を押している介護者が、柄部を把持して車椅子の後方から柄部の先端から側方に延設されたアーム部の凸状の先端部をフットレストの下面に当接させて引っ掛け、上方へ引き上げることができるため、その車椅子の前方に回り込むことなく、その車椅子のフットレストを引き上げることが可能となる。
【００１２】
（２）アーム部の先端部の凸状が、フットレストの下面の凹部に係合可能な大きさであることにより、介護者が柄部を把持して車椅子の後方から柄部の先端から側方に延設されたアーム部の凸状の先端部をフットレストの下面に当接させた際に、アーム部の先端部の凸状がフットレストの下面の凹部に係合して滑りにくくなるため、引っ張って上方へ引き上げる際にアーム部の凸状の先端部がフットレストの下面から滑って外れるのを防止することができ、フットレストを容易に引き上げることが可能となる。
【図面の簡単な説明】
【００１３】
【図１】本発明の実施の形態におけるフットレスト引き上げ具を示す図であって、（ａ）は平面図、（ｂ）は底面図、（ｃ）は先端部の左側面図である。
【図２】図１のフットレスト引き上げ具の使用状態を示す斜視図である。
【図３】図２の車椅子のフットレストを裏面側からみた斜視図である。
【発明を実施するための形態】
【００１４】
図１は本発明の実施の形態におけるフットレスト引き上げ具を示す図であって、（ａ）は平面図、（ｂ）は底面図、（ｃ）は先端部の左側面図、図２は図１のフットレスト引き上げ具の使用状態を示す斜視図、図３は図２の車椅子のフットレストを裏面側からみた斜視図である。
【００１５】
図１において、本発明の実施の形態におけるフットレスト引き上げ具１は、手で把持する棒状の柄部２と、柄部２の先端から側方に延設されたアーム部３とから構成される。柄部２は、分割式となっており、手で把持する部分となる第１柄部２ａの先に順次第２柄部２ｂ、第３柄部２ｃ、第４柄部２ｄを連結する構造となっている。第１柄部２ａの上部は、手で把持した際の滑り防止のためのラバー４で覆われている。
【００１６】
第１柄部２ａ〜第４柄部２ｄのそれぞれの連結部は、一方に雄ねじ、他方に雌ねじが形成されており、回転してねじ込むことによって連結し、逆回転して分割することが可能となっている。また、アーム部３は第４柄部２ｄの先端に固定ボルト５によって締結される。なお、固定ボルト５には緩み防止用のワッシャー（図示せず。）が設けられている。
【００１７】
アーム部３は、先端部３ａが柄部２の手元に向かって曲折された略Ｌ字状の板により形成されており、この先端部３ａが、図２に示すように、車椅子のフットレストＲの下面に当接する凸状を形成している。このアーム部３の先端部３ａは図１（ｃ）に示すように細く形成されており、図３に示すように車椅子のフットレストＲの下面に形成されている凹部Ｃに係合可能な大きさとなっている。
【００１８】
上記構成のフットレスト引き上げ具１では、介護者が柄部２を把持して車椅子の後方から、柄部２の先端から側方に延設されたアーム部３の先端部３ａを、図２に示すように、フットレストＲの下面に当接させて引っ掛け、上方へ引き上げることができる。すなわち、介護者は、車椅子の前方に回り込むことなく、その車椅子のフットレストＲを引き上げることが可能である。
【００１９】
また、アーム部３の凸状の先端部３ａがフットレストＲの下面の凹部Ｃに係合可能な大きさであるため、このアーム部３の凸状の先端部３ａをフットレストＲの下面に当接させた際に、アーム部３の凸状の先端部３ａがフットレストＲの下面の凹部Ｃに係合して滑りにくくなっている。そのため、このフットレスト引き上げ具１では、フットレストＲを引っ張って上方へ引き上げる際に、アーム部３の凸状の先端部３ａがフットレストＲの下面から滑って外れることが防止されており、フットレストＲを容易に引き上げることが可能である。
【００２０】
また、このフットレスト引き上げ具１では、柄部２が第１柄部２ａ〜第４柄部２ｄまでの分割式となっているため、使用状況に応じて手元の第１柄部２ａと先端の第４柄部２ｄとの間の第２柄部２ｂや第３柄部２ｃを取り外して全体の長さを短くして使用することが可能となっている。逆にさらに別の柄部（図示せず。）を追加して長くすることも可能である。
【００２１】
なお、本実施形態においては、アーム部３が、先端部３ａが柄部２の手元に向かって曲折された略Ｌ字状の板により形成されているが、真っ直ぐな平板の先端部分に柄部２の手元に向かって凸状となる突起部を設けた構成とすることも可能である。また、この先端部３ａの表面に滑り止め用の部材を設けた構成とすることも可能である。
【産業上の利用可能性】
【００２２】
本発明のフットレスト引き上げ具は、車椅子のフットレストを引き上げるための装置として有用である。
【符号の説明】
【００２３】
１  フットレスト引き上げ具
２  柄部
２ａ  第１柄部
２ｂ  第２柄部
２ｃ  第３柄部
２ｄ  第４柄部
３  アーム部
４  ラバー
５  固定ボルト
【図１】
2012135467.tif 000003
【図２】
2012135467.tif 000004
【図３】
2012135467.tif 000005